(57)【特許請求の範囲】
【請求項１】
１つのフロントカッタ（４）と２つのサイドカッタ（５，６）とを有し、これらのカッタが、時間的に位相をずらしてそれぞれ被切断物（３０）の前面の切断と両側面の切断とを実施するように、駆動装置（２）によって駆動されているスリーカッタ切断機械（１）において、
駆動装置（２）がサイドカッタ（５，６）の少なくとも一方の側に１つの駆動カム（２３）を備え、この駆動カムにフロントカッタ（４）と結合された１つの旋回可能なレバー（１６）と両サイドカッタ（５，６）と結合された１つの旋回可能なレバー（１９）が互いに異なった角度位置で係合し、これによりフロントカッタ（４）と両サイドカッタ（５，６）を駆動することを特徴とする機械。
【請求項２】
駆動カム（２３）が無端に形成されていることを特徴とする請求項１に記載の機械。
【請求項３】
２つのサイドカッタ（５，６）が、それぞれ担体（３１）を介して互いに間隔を置いて、レバー（１９）に付設された担体軸（１１）上に配設されていることを特徴とする請求項１又は２に記載の機械。
【請求項４】
フロントカッタ（４）が、レバー（１６）と結合されたリンケージ（９）に固定されていることを特徴とする請求項１〜３のいずれか１つに記載の機械。
【請求項５】
互いに間隔を置いて配設された２つの駆動カム（２３，２３’）が設けられており、これらの駆動カムが、捩り剛性の高い軸（２４）と互いに結合されていることを特徴とする請求項１〜４のいずれか１つに記載の機械。
【発明の詳細な説明】
【０００１】
【発明の属する技術分野】
本発明は、１つのフロントカッタと２つのサイドカッタとを有し、これらのカッタが、時間的に位相をずらしてそれぞれ被切断物の前面の切断と両側面の切断とを実施するように、駆動装置によって駆動されているスリーカッタ切断機械に関する。
【０００２】
【従来の技術】
印刷製品、例えば本及びパンフレット等の三面を切断するためのスリーカッタ切断機械は、久しい以前から公知である。被切断物は、切断をするために切断テーブル上を移送され、この切断テーブル上でカッタの下に位置合わせされ、並びにプレスプレート等によって切断テーブル上に強固に保持される。２つのサイドカッタにより、同時に被切断物の頭部面（天）及び足部面（地）が切断される。予め又は引き続き、別の作業段でフロントカッタにより前面（小口）の切断が行なわれる。切断された被切断物は、自動的に切断領域から外へと移動され、例えばコンベヤベルトによってスリーカッタ切断機械から排出される。従って、このスリーカッタ切断機械の場合、切断が、唯一の切断ステーションで行なわれる。被切断物は一度だけしか位置合わせをする必要がないので、２つのステーションを有するスリーカッタ切断機械に対する本質的な利点が生じる。フロントカッタとサイドカッタとが衝突しないようにするため、前面の切断と側面の切断とは、時間的に位相をずらして実施される。
【０００３】
前記様式のスリーカッタ切断機械は、例えば独国特許出願明細書第３２  ０１  ８３６号に開示されている。このスリーカッタ切断機械は、カッタのための駆動装置を備え、この駆動装置は、それぞれ１つのいわゆる案内伝動機構と、この案内伝動機構の前に接続させられたいわゆる作動伝動機構とを備える。この作動伝動機構は、一回転軸が回転している間に変化する変速比を有する歯車伝動機構によって形成される。別のスリーカッタ切断機械は、スイス国特許明細書第５３７  ２６０号に開示されている。このスリーカッタ切断機械の場合、カッタのための駆動が、駆動される、機械本体内に支承された一回転軸により行なわれる。一回転軸の端部には、それぞれ１つのクランクが配設されており、このクランクのクランクピンに、それぞれ１つのコンロッドが作用する。加えてフロントカッタの駆動のために、ユニバーサルジョイントプルロッドが設けられており、このユニバーサルジョイントプルロッドは、従来通常は両側で行なうカッタの牽引を、片側で行なうカッタの牽引によって代替することを可能にする。このスリーカッタ切断機械も、その構造に、特に駆動機構の構造に比較的費用がかかる。
【０００４】
【発明が解決しようとする課題】
本発明の基本に置かれる課題は、僅かな部分による簡単な構造を備えており、それにもかかわらず作動が確実である前記様式のスリーカッタ切断機械を提供することにある。
【０００５】
【課題を解決するための手段】
本発明によれば、駆動装置がサイドカッタの少なくとも一方の側に１つの駆動カムを備え、この駆動カムにフロントカッタと結合された１つの旋回可能なレバーと両サイドカッタと結合された１つの旋回可能なレバーが互いに異なった角度位置で係合し、これによりフロントカッタと両サイドカッタを駆動することによって解決される。
【０００６】
唯一の駆動カムによる２つのレバーの駆動は、僅かな部分による簡単な構造、並びに歪の少ない運動を可能にする。
【０００７】
本発明によるスリーカッタ切断機械では、駆動カムが無端に形成されている。このカムは、２つの旋回可能なレバーを運動させ、これらのレバーにより、フロントカッタと両サイドカッタとが駆動される。従ってカッタの駆動は、唯一つのカムを介して行われる。このカムのリンケージによって、不同形のカッタの運動を設定することができる。共通の駆動カムによる駆動は、カッタ担体の時間的に位相をずらした運動を生じさせる。加えて、駆動装置が、僅かな、そして強靭な個々の部分により製造可能であるので、非常に歪の少ないカッタもしくはカッタ担体の運動が生じる。
【０００８】
駆動カムは、例えばピニオンギヤを介して駆動され、また同時に２つのレバーを運動させ、これらのレバーにより、フロントカッタと両サイドカッタとが駆動される。両側でカッタの牽引を行なう場合、第２の駆動カムを設けることができ、この駆動カムは、第１の駆動カムと、捩り剛性の高い軸を介して結合されている。
【０００９】
フロントカッタのためのレバーは、特に、カッタカップラに作用するリンケージである。２つのサイドカッタは、特にそれぞれ担体を介して互いに間隔を置いて担体軸上に固定されており、この担体軸は、前記レバーの少なくとも一方と、切断運動を実施するためにレバーにより駆動されるように結合されている。他の有利な特徴は、従属する特許請求項、以下の説明並びに図面から明らかである。
【００１０】
【発明の実施の形態】
本発明の実施例を、以下に、図面を本にして詳細に説明する。
【００１１】
スリーカッタ切断装置１は、１つのフロントカッタ４並びに２つのサイドカッタ５，６を備え、これらのカッタは、駆動装置２によって、時間的に位相をずらして不同形に駆動されている。特に前面の切断は、側面の切断の前に行なわれる。しかしながら切断順序は、軸２４の回転方向の変更によって簡単に逆転可能である。
【００１２】
２つのサイドカッタ５及び６は、それぞれ担体３１を介して担体軸１１上に配設されている。この両方のカッタ５及び６の互いの間隔は、２つの担体３１を移動させることによって、切断すべき被切断物３０の判に適合させるために調節することができる。両方のカッタ５及び６は、互いに平行に配設されており、かつそれぞれ１つの切れ刃５ａ，６ａを備える。互いに間隔を置いて配設された旋回可能な条片２９により、担体軸１１は、サイドカッタ５及び６が切断運動を実施するために本質的に垂直に運動可能であるように、図１では示唆しかされてない機械スタンド３に固定されている。例えば印刷製品の堆積体である被切断物３０は、矢印３６（図２）の方向に、ここでは図示されてない切断テーブルに供給される。切断された被切断物は、同方向に、スリーカッタ切断機械１から搬出される。
【００１３】
フロントカッタ４は、図１によれば、切れ刃４ａを備える。図１及び２に図示されたカッタ４は、カップラ８と結合されたカッタ担体７に固定されている。リンケージ９は、上端部９ａにより、柔軟にカップラ８と結合されている。その上カップラ８は、機械スタンドに沿って案内されている。
【００１４】
リンケージ９は、図１によれば、二重矢印３７により本質的に垂直に可動に配設されている。このためリンケージ９は、その下端部がジョイント１３を介してレバー１６と結合されており、このレバーは、カムローラ１８によりカムディスク２２の駆動カム２３に係合する。レバー１６は、明らかなように、ツーアームのアングルレバーであり、このアングルレバーは、ジョイント１３とカムローラ１８との間で支承部３４により回転可能に機械スタンド３に支承されている。カムローラ１８が配設されているレバー１６のアーム１６ａは、本質的に、リンケージ９が枢着されているアーム１６ｂよりも短い。
【００１５】
カムディスク２２は、特にモータ２８によって駆動され、このモータは、ピニオンギヤ２７を介してカムディスク２２の平歯車歯切り部２６と係合している。カムディスク２２は、矢印２５によれば、反時計回り方向に駆動されている。カムディスク２２が時計回り方向に回転される回転方向の変更によって、切断順序は逆転させることができる。第１の場合には、先ず前面の切断が実施され、次いで側面の切断が実施される。第２の場合には、先ず側面の切断が行なわれ、次いで前面の切断が行なわれる。
【００１６】
駆動カム２３によって、同時に第２のレバー１９が運動させられ、このレバーは、ワンアームであり、その一方の端部は軸２０を中心として旋回可能にスタンド固定の支承部３５に支持されている。レバー１９の他方の端部には、回転ジョイント１４が配設されており、この回転ジョイントは、レバー１９をロッド１０と結合させ、このロッドは、上端部１０ａが回転可能に担体軸１１と結合されている。軸２０とジョイント１４との間には、カムローラ２１がレバー１９に配設されており、このカムローラは駆動カム２３に係合する。駆動カム２３は、閉鎖されたカムとして、又は開放したカムとして形成することができる。特に、駆動カム２３は閉鎖されたカムであり、このカムにより、比較的大きな切断力を受け止めることができる。しかしながらまた基本的には、バネ又は相補カムを有する開放したカムも考えられる。ロッド１０は、カムディスク２２が駆動される際に、二重矢印３９による運動を実施する。相応に、条片２９がスタンド固定の軸４０を中心として旋回される。
【００１７】
リンケージ９とロッド１０のどちらも同じ駆動カム２３によって駆動されていることが重要である。駆動カム２３は、回転し、リンケージ９とロッド１０のどちらも時間的に位相をずらして運動させられるように構成されている。レバー１６及び１９の旋回運動は、それぞれ、カムローラ１８もしくは２１が変位させられて戻った領域２３ａ内に走入する場合に行なわれる。カムディスク２２が矢印２５の方向に回転させられる場合は、図１で先ずレバー１６が旋回し、次いでレバー１９が旋回する。相応に先ず、フロントカッタ４により切断が行なわれ、次いでサイドカッタ５及び６により切断が行なわれる。
【００１８】
前面の切断及び側面の切断が実施された場合は、被切断物３０が機械１から搬出されなければならず、同時にべつの切断すべき被切断物が切断テーブルに供給され、この切断テーブル上に固定されなければならない。使用可能であるサイクルタイム内で被切断物３０は、従って、位置合わせ、切断及び搬出されなければならない。被切断物３０が搬出される際、フロントカッタ４及び２つのサイドカッタ５及び６は、上記の搬送が可能である位置に存在しなければならない。相応に駆動カム２３を形成することによって、これは達成することができる。特にカッタ４，５及び６は、相応に駆動カム２３を形成することによって、搬送のために残留するサイクルタイムが最適であるように、加速もしくは減速させることができる。
【００１９】
【発明の効果】
本発明により、僅かな部分による簡単な構造を備えており、それにもかかわらず作動が確実であるスリーカッタ切断機械が得られる。
【図面の簡単な説明】
【図１】  本発明によるスリーカッタ切断機械の側面図を概略的に示す。
【図２】  図１の本発明によるスリーカッタ切断機械の立体図を概略的に示す。
【符号の説明】
１            スリーカッタ切断機械
２            駆動装置
３            機械スタンド
４            フロントカッタ
４ａ          切れ刃
５，６        サイドカッタ
５ａ，６ａ    切れ刃
７            カッタ担体
８            カップラ
９            リンケージ
９ａ          上端部
１０          ロッド
１０ａ        上端部
１１          担体軸
１３          ジョイント
１４          回転ジョイント
１６          レバー
１６ａ        アーム
１６ｂ        アーム
１８          カムローラ
１９          レバー
２０          軸
２１          カムローラ
２２          カムディスク
２３          駆動カム
２３ａ        領域
２４          軸
２５          矢印
２６          平歯車歯切り部
２７          ピニオンギヤ
２８          モータ
２９          条片
３０          被切断物
３１          担体
３４          支承部
３５          支承部
３６          矢印
３７          二重矢印
３９          二重矢印
４０          軸
【図１】
0004043273.tif 000002
【図２】
0004043273.tif 000003